(57)【要約】【課題】  複写時に印刷物の属性情報および元画像データを利用可能な電子タグ付き印刷物およびこれを作成するための画像形成装置、ならびに電子タグ付き印刷物から印刷物の属性情報が反映された高画質な複写物を得ることの可能な画像形成装置を提供する。【解決手段】  ＩＣタグ付き印刷物２００は、ＩＣタグ付き印刷用紙に画像データが印刷されており、ＩＣタグには印刷された画像データが記憶されている。ＭＦＰ１００Ｃは、ＩＣタグリーダー１４３ＡによりＡＤＦ１４１にセットされた原稿がＩＣタグ付き印刷物であるか否かを判断し、ＩＣタグ付き印刷物である場合は、原稿を搬送しないでＩＣタグリーダー１４３ＡによりＡＤＦ上の原稿のＩＣタグから画像データを読み出して、印刷部１５１により通常の印刷用紙またはＩＣタグ付き印刷用紙に印刷する。ＩＣタグ付き印刷用紙に印刷する場合は、同時にＩＣタグライター１５２により当該ＩＣタグ付き印刷用紙のＩＣタグに印刷した画像データを書き込む。【選択図】            図２
2005197835.tif 000002
【特許請求の範囲】
【請求項１】
印刷用紙の一部に電子データを記憶する電子タグを備えた電子タグ付き印刷用紙に画像データが印刷されてなり、
前記電子タグには、前記電子タグ付き印刷用紙に印刷された画像データが記憶されていることを特徴とする、
電子タグ付き印刷物。
【請求項２】
前記電子タグは無線通信により電子データを送受信するものである、
請求項１に記載の電子タグ付き印刷物。
【請求項３】
印刷用紙の一部に電子データを記憶する電子タグを備えた電子タグ付き印刷用紙に画像データを印刷する印刷手段と、
前記印刷手段により印刷した画像データを前記電子タグに書き込む書き込み手段と、
を有することを特徴とする画像形成装置。
【請求項４】
他の機器から画像データを受信する受信手段をさらに有し、
前記印刷手段は、前記受信手段により受信した画像データを印刷するものである、
請求項３に記載の画像形成装置。
【請求項５】
原稿画像を読み取って画像データを取得する読み取り手段をさらに有し、
前記印刷手段は、前記読み取り手段により取得した画像データを印刷するものである、
請求項３に記載の画像形成装置。
【請求項６】
前記電子タグは無線通信により電子データを送受信するものである、
請求項３〜５のいずれか１項に記載の画像形成装置。
【請求項７】
印刷用紙の一部に電子データを記憶する電子タグを備えた電子タグ付き印刷用紙に画像データが印刷されてなり、前記電子タグには前記電子タグ付き印刷用紙に印刷された画像データが記憶されている電子タグ付き印刷物の、前記電子タグから画像データを読み出す読み出し手段と、
前記読み出し手段により読み出した画像データを印刷する印刷手段と、
を有することを特徴とする画像形成装置。
【請求項８】
原稿が前記電子タグ付き印刷物であるか否かを判断する判断手段と、
前記判断手段により原稿が前記電子タグ付き印刷物でないと判断した場合に原稿を所定の読み取り位置まで搬送する搬送手段と、
前記搬送手段により搬送した原稿の画像を読み取って画像データを取得する読み取り手段と、
前記読み取り手段により読み取った画像データを印刷する第２の印刷手段とをさらに有し、
前記搬送手段は、前記判断手段により原稿が前記電子タグ付き印刷物であると判断した場合に原稿の搬送を行わないものであり、
前記読み出し手段は、前記判断手段により原稿が前記電子タグ付き印刷物であると判断した場合に前記搬送手段上の未搬送の原稿の電子タグから画像データを読み出すことを特徴とする、
請求項７に記載の画像形成装置。
【請求項９】
前記判断手段により原稿が前記電子タグ付き印刷物であると判断した場合に原稿が電子タグ付き印刷物である旨を表示する表示手段と、
原稿の電子タグに記憶された画像データを印刷するか否かを選択する選択手段をさらに有し、
前記読み出し手段は、前記選択手段により原稿の電子タグに記憶された画像データを印刷する選択がなされた場合に原稿の電子タグから画像データを読み出すことを特徴とする、
請求項８に記載の画像形成装置。
【請求項１０】
前記電子タグから前記電子タグ付き印刷物の属性情報のうち変更可能なものを読み出す第２の読み出し手段と、
前記第２の読み出し手段により読み出した変更可能な属性情報を表示する表示手段と、
前記第２の読み出し手段により読み出した変更可能な属性情報を変更する変更手段をさらに有し、
前記印刷手段は、前記変更手段により変更された属性情報に基づいて画像データを印刷することを特徴とする、
請求項７〜９のいずれか１項に記載の画像形成装置。
【請求項１１】
前記印刷手段は、印刷用紙の一部に電子データを記憶する電子タグを備えた電子タグ付き印刷用紙に画像データを印刷するものであり、
前記印刷手段により画像データを印刷した電子タグ付き印刷用紙の電子タグに、前記印刷手段により印刷した画像データを書き込む書き込み手段をさらに有することを特徴とする、
請求項７〜１０のいずれか１項に記載の画像形成装置。
【請求項１２】
前記電子タグは無線通信により電子データを送受信するものである、
請求項７〜１１のいずれか１項に記載の画像形成装置。
【請求項１３】
印刷用紙の一部に電子データを記憶する電子タグを備えた電子タグ付き印刷用紙に画像データを印刷する印刷ステップと、
前記印刷ステップにより印刷した画像データを前記電子タグに書き込む書き込みステップと、
を有することを特徴とする画像形成方法。
【請求項１４】
他の機器から画像データを受信する受信ステップをさらに有し、
前記印刷ステップは、前記受信ステップにより受信した画像データを印刷するものである、
請求項１３に記載の画像形成方法。
【請求項１５】
原稿画像を読み取って画像データを取得する読み取りステップをさらに有し、
前記印刷ステップは、前記読み取りステップにより取得した画像データを印刷するものである、
請求項１３に記載の画像形成方法。
【請求項１６】
前記電子タグは無線通信により電子データを送受信するものである、
請求項１３〜１５のいずれか１項に記載の画像形成方法。
【請求項１７】
印刷用紙の一部に電子データを記憶する電子タグを備えた電子タグ付き印刷用紙に画像データが印刷されてなり、前記電子タグには前記電子タグ付き印刷用紙に印刷された画像データが記憶されている電子タグ付き印刷物の、前記電子タグから画像データを読み出す読み出しステップと、
前記読み出しステップにより読み出した画像データを印刷する印刷ステップと、
を有することを特徴とする画像形成方法。
【請求項１８】
原稿が前記電子タグ付き印刷物であるか否かを判断する判断ステップと、
前記判断ステップにより原稿が前記電子タグ付き印刷物でないと判断した場合に原稿を所定の読み取り位置まで搬送する搬送ステップと、
前記搬送ステップにより搬送した原稿の画像を読み取って画像データを取得する読み取りステップと、
前記読み取りステップにより読み取った画像データを印刷する第２の印刷ステップとをさらに有し、
前記搬送ステップは、前記判断ステップにより原稿が前記電子タグ付き印刷物であると判断した場合に原稿の搬送を行わないものであり、
前記読み出しステップは、前記判断ステップにより原稿が前記電子タグ付き印刷物であると判断した場合に前記搬送ステップ上の未搬送の原稿の電子タグから画像データを読み出すことを特徴とする、
請求項１７に記載の画像形成方法。
【請求項１９】
前記判断ステップにより原稿が前記電子タグ付き印刷物であると判断した場合に原稿が電子タグ付き印刷物である旨を表示する表示ステップと、
原稿の電子タグに記憶された画像データを印刷するか否かを選択する選択ステップをさらに有し、
前記読み出しステップは、前記選択ステップにより原稿の電子タグに記憶された画像データを印刷する選択がなされた場合に原稿の電子タグから画像データを読み出すことを特徴とする、
請求項１８に記載の画像形成方法。
【請求項２０】
前記電子タグから前記電子タグ付き印刷物の属性情報のうち変更可能なものを読み出す第２の読み出しステップと、
前記第２の読み出しステップにより読み出した変更可能な属性情報を表示する表示ステップと、
前記第２の読み出しステップにより読み出した変更可能な属性情報を変更する変更ステップをさらに有し、
前記印刷ステップは、前記変更ステップにより変更された属性情報に基づいて画像データを印刷することを特徴とする、
請求項１７〜１９のいずれか１項に記載の画像形成方法。
【請求項２１】
前記印刷ステップは、印刷用紙の一部に電子データを記憶する電子タグを備えた電子タグ付き印刷用紙に画像データを印刷するものであり、
前記印刷ステップにより画像データを印刷した電子タグ付き印刷用紙の電子タグに、前記印刷ステップにより印刷した画像データを書き込む書き込みステップをさらに有することを特徴とする、
請求項１７〜２０のいずれか１項に記載の画像形成方法。
【請求項２２】
前記電子タグは無線通信により電子データを送受信するものである、
請求項１７〜２１のいずれか１項に記載の画像形成方法。
【請求項２３】
印刷用紙の一部に電子データを記憶する電子タグを備えた電子タグ付き印刷用紙に画像データを印刷する印刷ステップと、
前記印刷ステップにより印刷した画像データを前記電子タグに書き込む書き込みステップと、
を画像形成装置に実行させることを特徴とする画像形成プログラム。
【請求項２４】
他の機器から画像データを受信する受信ステップをさらに画像形成装置に実行させるものであり、
前記印刷ステップは、前記受信ステップにより受信した画像データを印刷するものである、
請求項２３に記載の画像形成プログラム。
【請求項２５】
原稿画像を読み取って画像データを取得する読み取りステップをさらに画像形成装置に実行させるものであり、
前記印刷ステップは、前記読み取りステップにより取得した画像データを印刷するものである、
請求項２３に記載の画像形成プログラム。
【請求項２６】
前記電子タグは無線通信により電子データを送受信するものである、
請求項２３〜２５のいずれか１項に記載の画像形成プログラム。
【請求項２７】
印刷用紙の一部に電子データを記憶する電子タグを備えた電子タグ付き印刷用紙に画像データが印刷されてなり、前記電子タグには前記電子タグ付き印刷用紙に印刷された画像データが記憶されている電子タグ付き印刷物の、前記電子タグから画像データを読み出す読み出しステップと、
前記読み出しステップにより読み出した画像データを印刷する印刷ステップと、
を画像形成装置に実行させることを特徴とする画像形成プログラム。
【請求項２８】
原稿が前記電子タグ付き印刷物であるか否かを判断する判断ステップと、
前記判断ステップにより原稿が前記電子タグ付き印刷物でないと判断した場合に原稿を所定の読み取り位置まで搬送する搬送ステップと、
前記搬送ステップにより搬送した原稿の画像を読み取って画像データを取得する読み取りステップと、
前記読み取りステップにより読み取った画像データを印刷する第２の印刷ステップとをさらに画像形成装置に実行させるものであり、
前記搬送ステップは、前記判断ステップにより原稿が前記電子タグ付き印刷物であると判断した場合に原稿の搬送を行わないものであり、
前記読み出しステップは、前記判断ステップにより原稿が前記電子タグ付き印刷物であると判断した場合に前記搬送ステップ上の未搬送の原稿の電子タグから画像データを読み出すことを特徴とする、
請求項２７に記載の画像形成プログラム。
【請求項２９】
前記判断ステップにより原稿が前記電子タグ付き印刷物であると判断した場合に原稿が電子タグ付き印刷物である旨を表示する表示ステップと、
原稿の電子タグに記憶された画像データを印刷するか否かを選択する選択ステップをさらに画像形成装置に実行させるものであり、
前記読み出しステップは、前記選択ステップにより原稿の電子タグに記憶された画像データを印刷する選択がなされた場合に原稿の電子タグから画像データを読み出すことを特徴とする、
請求項２８に記載の画像形成プログラム。
【請求項３０】
前記電子タグから前記電子タグ付き印刷物の属性情報のうち変更可能なものを読み出す第２の読み出しステップと、
前記第２の読み出しステップにより読み出した変更可能な属性情報を表示する表示ステップと、
前記第２の読み出しステップにより読み出した変更可能な属性情報を変更する変更ステップをさらに画像形成装置に実行させるものであり、
前記印刷ステップは、前記変更ステップにより変更された属性情報に基づいて画像データを印刷することを特徴とする、
請求項２７〜２９のいずれか１項に記載の画像形成プログラム。
【請求項３１】
前記印刷ステップは、印刷用紙の一部に電子データを記憶する電子タグを備えた電子タグ付き印刷用紙に画像データを印刷するものであり、
前記印刷ステップにより画像データを印刷した電子タグ付き印刷用紙の電子タグに、前記印刷ステップにより印刷した画像データを書き込む書き込みステップをさらに画像形成装置に実行させることを特徴とする、
請求項２７〜３０のいずれか１項に記載の画像形成プログラム。
【請求項３２】
前記電子タグは無線通信により電子データを送受信するものである、
請求項２７〜３１のいずれか１項に記載の画像形成プログラム。
【請求項３３】
請求項２３〜３２のいずれか１項に記載の画像形成プログラムを記録したコンピュータ読み取り可能な記録媒体。
【発明の詳細な説明】
【技術分野】
【０００１】
本発明は、電子タグを備えた印刷物およびこれを複写等するための画像形成装置に関し、特に、複写時に印刷物の属性情報および元画像データを利用可能な電子タグ付き印刷物および画像形成装置に関する。
【背景技術】
【０００２】
印刷用紙の一部にＩＣタグを埋め込んだＩＣタグ付き印刷用紙を利用して印刷物の属性情報を印刷物自体に保持できるようにしたもの、およびかかる印刷物を複写する際にＩＣタグから印刷物の属性情報を読み出して利用することのできる画像形成装置が知られている（例えば、特許文献１参照）。これらの印刷物および装置では、例えば複写禁止情報がある場合に画像データにノイズを乗せる等、複写時に印刷物の属性情報を画像データに反映させて出力することができる。しかし、上記印刷物および装置は印刷物を光学複写するものであるので、複写物の画像が劣化する等の欠点がある。
【０００３】
また、印刷物を複写する際に同時に印刷物に付された識別子を読み取り、サーバから対応する元画像データをダウンロードして印刷する画像形成装置が知られている（例えば、特許文献２参照）。かかる装置によれば、印刷物にかかる元画像データを利用できるので複写物においても印刷物と同等の画質を維持することができる。しかし、上記装置では、専用サーバやネットワーク等が構築された環境下でなければ利用することができない。
【０００４】
一方、ＩＣカード等の記録媒体の基材表面に当該記録媒体に記録した画像データを印刷したものが知られている（例えば、特許文献３参照）。しかし、かかる記録媒体の基材表面の画像は、当該記録媒体に記録された画像データを視覚的に容易に確認できるようにするために簡易的に印刷されたものに過ぎず、画像が印刷された当該記録媒体が印刷物として流通したり複写されたりする性質を有するものではない。
【特許文献１】特開２００１−２４８４５号公報
【特許文献２】特開２００２−２０９０３９号公報
【特許文献３】特開平１０−３３４２１５号公報
【発明の開示】
【発明が解決しようとする課題】
【０００５】
本発明は上記従来技術の有する問題点に鑑みなされたものであり、その目的とするところは、複写時に印刷物の属性情報および元画像データを利用可能な電子タグ付き印刷物およびこれを作成するための画像形成装置、ならびに電子タグ付き印刷物から印刷物の属性情報が反映された高画質な複写物を得ることの可能な画像形成装置を提供することにある。
【課題を解決するための手段】
【０００６】
本発明の上記目的は、下記の手段によって達成される。
【０００７】
（１）印刷用紙の一部に電子データを記憶する電子タグを備えた電子タグ付き印刷用紙に画像データが印刷されてなり、前記電子タグには、前記電子タグ付き印刷用紙に印刷された画像データが記憶されていることを特徴とする、電子タグ付き印刷物。
【０００８】
（２）前記電子タグは無線通信により電子データを送受信するものである、（１）に記載の電子タグ付き印刷物。
【０００９】
（３）印刷用紙の一部に電子データを記憶する電子タグを備えた電子タグ付き印刷用紙に画像データを印刷する印刷手段と、前記印刷手段により印刷した画像データを前記電子タグに書き込む書き込み手段と、を有することを特徴とする画像形成装置。
【００１０】
（４）他の機器から画像データを受信する受信手段をさらに有し、前記印刷手段は、前記受信手段により受信した画像データを印刷するものである、（３）に記載の画像形成装置。
【００１１】
（５）原稿画像を読み取って画像データを取得する読み取り手段をさらに有し、前記印刷手段は、前記読み取り手段により取得した画像データを印刷するものである、（３）に記載の画像形成装置。
【００１２】
（６）前記電子タグは無線通信により電子データを送受信するものである、（３）〜（５）のいずれか１つに記載の画像形成装置。
【００１３】
（７）印刷用紙の一部に電子データを記憶する電子タグを備えた電子タグ付き印刷用紙に画像データが印刷されてなり、前記電子タグには前記電子タグ付き印刷用紙に印刷された画像データが記憶されている電子タグ付き印刷物の、前記電子タグから画像データを読み出す読み出し手段と、前記読み出し手段により読み出した画像データを印刷する印刷手段と、を有することを特徴とする画像形成装置。
【００１４】
（８）原稿が前記電子タグ付き印刷物であるか否かを判断する判断手段と、前記判断手段により原稿が前記電子タグ付き印刷物でないと判断した場合に原稿を所定の読み取り位置まで搬送する搬送手段と、前記搬送手段により搬送した原稿の画像を読み取って画像データを取得する読み取り手段と、前記読み取り手段により読み取った画像データを印刷する第２の印刷手段とをさらに有し、前記搬送手段は、前記判断手段により原稿が前記電子タグ付き印刷物であると判断した場合に原稿の搬送を行わないものであり、前記読み出し手段は、前記判断手段により原稿が前記電子タグ付き印刷物であると判断した場合に前記搬送手段上の未搬送の原稿の電子タグから画像データを読み出すことを特徴とする、（７）に記載の画像形成装置。
【００１５】
（９）前記判断手段により原稿が前記電子タグ付き印刷物であると判断した場合に原稿が電子タグ付き印刷物である旨を表示する表示手段と、原稿の電子タグに記憶された画像データを印刷するか否かを選択する選択手段をさらに有し、前記読み出し手段は、前記選択手段により原稿の電子タグに記憶された画像データを印刷する選択がなされた場合に原稿の電子タグから画像データを読み出すことを特徴とする、（８）に記載の画像形成装置。
【００１６】
（１０）前記電子タグから前記電子タグ付き印刷物の属性情報のうち変更可能なものを読み出す第２の読み出し手段と、前記第２の読み出し手段により読み出した変更可能な属性情報を表示する表示手段と、前記第２の読み出し手段により読み出した変更可能な属性情報を変更する変更手段をさらに有し、前記印刷手段は、前記変更手段により変更された属性情報に基づいて画像データを印刷することを特徴とする、（７）〜（９）のいずれか１つに記載の画像形成装置。
【００１７】
（１１）前記印刷手段は、印刷用紙の一部に電子データを記憶する電子タグを備えた電子タグ付き印刷用紙に画像データを印刷するものであり、前記印刷手段により画像データを印刷した電子タグ付き印刷用紙の電子タグに、前記印刷手段により印刷した画像データを書き込む書き込み手段をさらに有することを特徴とする、（７）〜（１０）のいずれか１つに記載の画像形成装置。
【００１８】
（１２）前記電子タグは無線通信により電子データを送受信するものである、（７）〜（１１）のいずれか１つに記載の画像形成装置。
【００１９】
（１３）印刷用紙の一部に電子データを記憶する電子タグを備えた電子タグ付き印刷用紙に画像データを印刷する印刷ステップと、前記印刷ステップにより印刷した画像データを前記電子タグに書き込む書き込みステップと、を有することを特徴とする画像形成方法。
【００２０】
（１４）他の機器から画像データを受信する受信ステップをさらに有し、前記印刷ステップは、前記受信ステップにより受信した画像データを印刷するものである、（１３）に記載の画像形成方法。
【００２１】
（１５）原稿画像を読み取って画像データを取得する読み取りステップをさらに有し、前記印刷ステップは、前記読み取りステップにより取得した画像データを印刷するものである、（１３）に記載の画像形成方法。
【００２２】
（１６）前記電子タグは無線通信により電子データを送受信するものである、（１３）〜（１５）のいずれか１つに記載の画像形成方法。
【００２３】
（１７）印刷用紙の一部に電子データを記憶する電子タグを備えた電子タグ付き印刷用紙に画像データが印刷されてなり、前記電子タグには前記電子タグ付き印刷用紙に印刷された画像データが記憶されている電子タグ付き印刷物の、前記電子タグから画像データを読み出す読み出しステップと、前記読み出しステップにより読み出した画像データを印刷する印刷ステップと、を有することを特徴とする画像形成方法。
【００２４】
（１８）原稿が前記電子タグ付き印刷物であるか否かを判断する判断ステップと、前記判断ステップにより原稿が前記電子タグ付き印刷物でないと判断した場合に原稿を所定の読み取り位置まで搬送する搬送ステップと、前記搬送ステップにより搬送した原稿の画像を読み取って画像データを取得する読み取りステップと、前記読み取りステップにより読み取った画像データを印刷する第２の印刷ステップとをさらに有し、前記搬送ステップは、前記判断ステップにより原稿が前記電子タグ付き印刷物であると判断した場合に原稿の搬送を行わないものであり、前記読み出しステップは、前記判断ステップにより原稿が前記電子タグ付き印刷物であると判断した場合に前記搬送ステップ上の未搬送の原稿の電子タグから画像データを読み出すことを特徴とする、（１７）に記載の画像形成方法。
【００２５】
（１９）前記判断ステップにより原稿が前記電子タグ付き印刷物であると判断した場合に原稿が電子タグ付き印刷物である旨を表示する表示ステップと、原稿の電子タグに記憶された画像データを印刷するか否かを選択する選択ステップをさらに有し、前記読み出しステップは、前記選択ステップにより原稿の電子タグに記憶された画像データを印刷する選択がなされた場合に原稿の電子タグから画像データを読み出すことを特徴とする、（１８）に記載の画像形成方法。
【００２６】
（２０）前記電子タグから前記電子タグ付き印刷物の属性情報のうち変更可能なものを読み出す第２の読み出しステップと、前記第２の読み出しステップにより読み出した変更可能な属性情報を表示する表示ステップと、前記第２の読み出しステップにより読み出した変更可能な属性情報を変更する変更ステップをさらに有し、前記印刷ステップは、前記変更ステップにより変更された属性情報に基づいて画像データを印刷することを特徴とする、（１７）〜（１９）のいずれか１つに記載の画像形成方法。
【００２７】
（２１）前記印刷ステップは、印刷用紙の一部に電子データを記憶する電子タグを備えた電子タグ付き印刷用紙に画像データを印刷するものであり、前記印刷ステップにより画像データを印刷した電子タグ付き印刷用紙の電子タグに、前記印刷ステップにより印刷した画像データを書き込む書き込みステップをさらに有することを特徴とする、（１７）〜（２０）のいずれか１つに記載の画像形成方法。
【００２８】
（２２）前記電子タグは無線通信により電子データを送受信するものである、（１７）〜（２１）のいずれか１つに記載の画像形成方法。
【００２９】
（２３）印刷用紙の一部に電子データを記憶する電子タグを備えた電子タグ付き印刷用紙に画像データを印刷する印刷ステップと、前記印刷ステップにより印刷した画像データを前記電子タグに書き込む書き込みステップと、を画像形成装置に実行させることを特徴とする画像形成プログラム。
【００３０】
（２４）他の機器から画像データを受信する受信ステップをさらに画像形成装置に実行させるものであり、前記印刷ステップは、前記受信ステップにより受信した画像データを印刷するものである、（２３）に記載の画像形成プログラム。
【００３１】
（２５）原稿画像を読み取って画像データを取得する読み取りステップをさらに画像形成装置に実行させるものであり、前記印刷ステップは、前記読み取りステップにより取得した画像データを印刷するものである、（２３）に記載の画像形成プログラム。
【００３２】
（２６）前記電子タグは無線通信により電子データを送受信するものである、（２３）〜（２５）のいずれか１つに記載の画像形成プログラム。
【００３３】
（２７）印刷用紙の一部に電子データを記憶する電子タグを備えた電子タグ付き印刷用紙に画像データが印刷されてなり、前記電子タグには前記電子タグ付き印刷用紙に印刷された画像データが記憶されている電子タグ付き印刷物の、前記電子タグから画像データを読み出す読み出しステップと、前記読み出しステップにより読み出した画像データを印刷する印刷ステップと、を画像形成装置に実行させることを特徴とする画像形成プログラム。
【００３４】
（２８）原稿が前記電子タグ付き印刷物であるか否かを判断する判断ステップと、前記判断ステップにより原稿が前記電子タグ付き印刷物でないと判断した場合に原稿を所定の読み取り位置まで搬送する搬送ステップと、前記搬送ステップにより搬送した原稿の画像を読み取って画像データを取得する読み取りステップと、前記読み取りステップにより読み取った画像データを印刷する第２の印刷ステップとをさらに画像形成装置に実行させるものであり、前記搬送ステップは、前記判断ステップにより原稿が前記電子タグ付き印刷物であると判断した場合に原稿の搬送を行わないものであり、前記読み出しステップは、前記判断ステップにより原稿が前記電子タグ付き印刷物であると判断した場合に前記搬送ステップ上の未搬送の原稿の電子タグから画像データを読み出すことを特徴とする、（２７）に記載の画像形成プログラム。
【００３５】
（２９）前記判断ステップにより原稿が前記電子タグ付き印刷物であると判断した場合に原稿が電子タグ付き印刷物である旨を表示する表示ステップと、原稿の電子タグに記憶された画像データを印刷するか否かを選択する選択ステップをさらに画像形成装置に実行させるものであり、前記読み出しステップは、前記選択ステップにより原稿の電子タグに記憶された画像データを印刷する選択がなされた場合に原稿の電子タグから画像データを読み出すことを特徴とする、（２８）に記載の画像形成プログラム。
【００３６】
（３０）前記電子タグから前記電子タグ付き印刷物の属性情報のうち変更可能なものを読み出す第２の読み出しステップと、前記第２の読み出しステップにより読み出した変更可能な属性情報を表示する表示ステップと、前記第２の読み出しステップにより読み出した変更可能な属性情報を変更する変更ステップをさらに画像形成装置に実行させるものであり、前記印刷ステップは、前記変更ステップにより変更された属性情報に基づいて画像データを印刷することを特徴とする、（２７）〜（２９）のいずれか１つに記載の画像形成プログラム。
【００３７】
（３１）前記印刷ステップは、印刷用紙の一部に電子データを記憶する電子タグを備えた電子タグ付き印刷用紙に画像データを印刷するものであり、前記印刷ステップにより画像データを印刷した電子タグ付き印刷用紙の電子タグに、前記印刷ステップにより印刷した画像データを書き込む書き込みステップをさらに画像形成装置に実行させることを特徴とする、（２７）〜（３０）のいずれか１つに記載の画像形成プログラム。
【００３８】
（３２）前記電子タグは無線通信により電子データを送受信するものである、（２７）〜（３１）のいずれか１つに記載の画像形成プログラム。
【００３９】
（３３）（２３）〜（３２）のいずれか１つに記載の画像形成プログラムを記録したコンピュータ読み取り可能な記録媒体。
【発明の効果】
【００４０】
本発明の電子タグ付き印刷物によれば、電子タグに印刷物の属性情報および元画像データが記憶されているので、複写時に容易に印刷物の属性情報および元画像データを読み出して利用することができる。
【００４１】
本発明の画像形成装置によれば、電子タグ付き印刷用紙に画像データを印刷すると同時に当該印刷用紙の電子タグに印刷した画像データを書き込むことにより、電子タグ付き印刷物を容易に作成することができる。
【００４２】
また、本発明の画像形成装置によれば、電子タグ付き印刷物を複写する際に電子タグから印刷物の属性情報および元画像データを読み出して利用することができるので、サーバやネットワークを要しない簡易なシステムにより印刷物の属性情報が反映された高画質な複写物を得ることができる。特に、電子タグ付き印刷用紙を用いることにより、オリジナルの電子タグ付き印刷物から複製の電子タグ付き印刷物を容易に作成することができる。
【００４３】
また、本発明の画像形成装置によれば、原稿が電子タグ付き印刷物であるか否かを自動的に判別し、電子タグ付き印刷物でない場合は光学読み取りして得られた画像データを、電子タグ付き印刷物である場合は電子タグから読み出した画像データを出力するので、ユーザが原稿の種類を認識していなくても原稿の種類に応じた適切な処理を施すことができる。
【００４４】
また、本発明の画像形成装置によれば、原稿が電子タグ付き印刷物であるか否かを自動的に判別し、電子タグ付き印刷物である場合はＡＤＦ（Auto Document Feeder  自動原稿搬送装置）による原稿の搬送を行わずにＡＤＦにセットされた状態の原稿の電子タグから画像データを読み出して出力するので、高速な処理が可能であり、搬送に伴う原稿の傷みや汚れ等も生じない。
【００４５】
また、本発明の画像形成装置によれば、原稿が電子タグ付き印刷物であるか否かを自動的に判別し、電子タグ付き印刷物である場合はその旨を表示するので、ユーザが電子タグ付き印刷物を認知していない場合でも確実に電子タグ付き印刷物の上記機能を提供することができる。さらに、原稿が電子タグ付き印刷物である場合に電子タグ内の画像データを利用するか否かをユーザに選択させるので、原稿が電子タグ付き印刷物の場合でも光学複写を行いたい等ユーザの所望方法により処理を実行させることができる。
【００４６】
さらに、本発明の画像形成装置によれば、電子タグ付き印刷物の属性情報のうち変更可能なものを表示し、当該属性に変更を加えることができるので、当該画像形成装置の能力やユーザの好みに応じて変更した属性情報を反映させた複写物を取得することができる。
【発明を実施するための最良の形態】
【００４７】
以下、本発明の実施の形態を、図面を参照して詳細に説明する。
【００４８】
図１および図２は、それぞれ、本発明の第１の実施形態にかかる画像形成装置としてのＭＦＰ（Multiple Function Peripheral  多機能周辺機器）１００Ａの構成を示すブロック図および概略図である。図１および図２に示すように、ＭＦＰ１００Ａは、制御部１１０、記憶部１２０、操作部１３０、画像入力部１４０、および画像出力部１５０を備えており、これらは信号をやり取りするためのバス１６０を介して相互に接続されている。
【００４９】
制御部１１０はＣＰＵであり、プログラムにしたがって上記各部の制御や各種の演算処理等を行う。
【００５０】
記憶部１２０は、予め各種プログラムやパラメータを格納しておくＲＯＭ、作業領域として一時的にプログラムやデータを記憶するＲＡＭ、各種プログラムやパラメータを格納し、または画像処理により得られた画像データ等を一時的に保存するために使用されるハードディスク等からなる。
【００５１】
操作部１３０は、各種情報を表示し、または各種設定入力を行うタッチパネル、コピー枚数等を設定するテンキー、動作の開始を指示するスタートキー、動作の停止を指示するストップキー、各種設定条件を初期化するリセットキー等の各種固定キー、表示ランプ等からなる。
【００５２】
画像入力部１４０は、ＡＤＦ１４１、光学読み取り部１４２、ＩＣタグリーダー１４３、入力インタフェース１４４等からなる。
【００５３】
ＡＤＦ１４１は、原稿トレイ１４５にセットされた単数枚または複数枚の原稿を一枚ずつ原稿台１４６の所定の読み取り位置まで順次搬送し、また画像読み取り後の原稿を順次排出する。
【００５４】
光学読み取り部１４２は、原稿台１４６の所定の読み取り位置にセットされた原稿またはＡＤＦにより搬送された原稿に蛍光ランプ等の光源で光を当て、その反射光をＣＣＤやＣＩＳ等の受光素子で光電変換して、その電気信号から画像データ（ビットマップデータ）を生成する。
【００５５】
ＩＣタグリーダー１４３は、後述するＩＣタグ付き原稿の非接触型ＩＣタグに記録されている電子データを読み取る。ＩＣタグリーダー１４３とＩＣタグとの間の通信方式としては、国際標準規格のＩＳＯ１４４４３、ＩＳＯ１５６９３等に規定されるものが挙げられ、１３５ＫＨｚ、１３．５６ＭＨｚ、２．４５ＧＨｚ等の周波数帯が利用される。但し、利用する通信方式はこれらに限定されるものではなく、その他の既知の通信方式や独自の通信方式を利用するものであってもよい。また、ＩＣタグリーダーは、通信可能な範囲内にある複数のＩＣタグからそれぞれに記録されている電子データを一度に読み取ることも可能である。
【００５６】
ＩＣタグリーダー１４３Ａは、原稿トレイ１４５にセットされたＩＣタグ付き原稿の非接触型ＩＣタグに記録されている電子データを読み取る。ＩＣタグリーダー１４３Ａは、原稿トレイ１４５にセットされたＩＣタグ付き原稿以外のＭＦＰ１００Ａの近辺にあるＩＣタグを検出してしまうことによる誤操作を防止するため、所定の適切な通信距離、例えば数ｃｍから数十ｃｍの近距離通信用に設計されたものが用いられる。
【００５７】
ＩＣタグ１４３Ｂは、ＡＤＦ１４１により原稿台１４６の所定の読み取り位置に搬送されたＩＣタグ付き原稿の非接触型ＩＣタグに記録されている電子データを読み取る。ＩＣタグ１４３Ｂは、ＡＤＦ１４１により原稿台１４６に搬送されたＩＣタグ付き原稿以外の近辺のＩＣタグを検出してしまうことによる誤操作を防止するため、所定の適切な通信距離、例えば数ｍｍから数ｃｍの至近距離通信用に設計されたものが用いられる。なお、ＡＤＦ１４１と原稿台１４６との間には無線通信を遮断する板金が備えられており、ＩＣタグリーダー１４３Ａは原稿台１４６上のＩＣタグ付き原稿のＩＣタグを、ＩＣタグリーダー１４３Ｂは原稿トレイ１４５上のＩＣタグ付き原稿のＩＣタグを、それぞれ検出できない構成となっている。
【００５８】
入力インタフェース１４４は、外部機器から画像データ等の入力を受けるためのインタフェースであり、イーサネット（登録商標）、トークンリング、ＦＤＤＩ等の規格によるネットワークインタフェースや、ＵＳＢ、ＩＥＥＥ１３９４等のシリアルインタフェース、ＳＣＳＩ、ＩＥＥＥ１２８４等のパラレルインタフェース、Ｂｌｕｅｔｏｏｔｈ（ブルートゥース）、ＩＥＥＥ８０２.１１、ＨｏｍｅＲＦ、ＩｒＤＡ等の無線通信インタフェース等のローカル接続インタフェース、電話回線に接続するための電話回線インタフェース等を利用することができる。
【００５９】
画像出力部１５０は、印刷部１５１、ＩＣタグライター１５２、出力インタフェース１５３等からなる。
【００６０】
印刷部１５１は、画像データを電子写真方式により帯電、露光、現像、転写および定着の各工程を経て印刷用紙に画像データを印刷し、排紙トレイ１５４に排出する。
【００６１】
ＩＣタグライター１５２は、後述するＩＣタグ付き印刷用紙の非接触型ＩＣタグに電子データを書き込む。ＩＣタグライター１５２には、ＩＣタグリーダー１４３Ｂと同様の至近距離通信用のものが用いられ、ＩＣタグライター１５２とＩＣタグとの通信方式は、ＩＣタグリーダー１４３Ａまたは１４３Ｂと同様のものを利用することができる。
【００６２】
出力インタフェース１５３は、外部機器に画像ファイル等を出力するためのインタフェースであり、前記入力インタフェース１４４と同様のものを利用することができる。
【００６３】
ＭＦＰ１００Ａは、上記構成により、原稿画像を読み取って画像データを外部機器に送信するスキャナとしての機能、外部機器から受信した画像データを印刷出力するプリンタとしての機能、原稿画像を読み取って画像データを印刷出力する複写機としての機能、および画像データを電話回線を介して送受信するファクシミリとしての機能を兼ね備えるものである。
【００６４】
但し、ＭＦＰ１００Ａは、上述した構成要素以外の構成要素を含んでいてもよく、あるいは、上述した構成要素のうちの一部を含んでいなくてもよい。例えば、本実施形態では、ＭＦＰ１００Ａの画像入力部１４０は、少なくとも入力インタフェース１４４を有していればよく、必ずしも光学読み取り部１４２、ＡＤＦ１４１またはＩＣタグリーダー１４３を有していなくてもよい。また、画像出力部１５０は出力インタフェース１５３を必ずしも有していなくてもよい。
【００６５】
つぎに、本実施形態にかかるＩＣタグ付き原稿を図３および図４を参照して説明する。図３は、本実施形態にかかるＩＣタグ付き原稿２００の構成を示す概略図である。図３に示すように、ＩＣタグ付き原稿２００は、印刷用紙２１１の一部分にＩＣタグ２１２が埋め込まれてなるＩＣタグ付き印刷用紙２１０上に画像２２０が印刷されてなり、ＩＣタグ２１２には画像２２０にかかる画像データ（元画像データ）が記録されている。
【００６６】
ここで、印刷用紙２１１は、紙、布、プラスチック、金属等からなるシート状の印刷用記録材である。
【００６７】
また、ＩＣタグ２１２は無線通信を利用した非接触型の電子タグであり、内部にＩＣチップからなる記憶部とコイルからなるアンテナ部とを有しており（いずれも図示せず）、ＩＣタグリーダー１４３またはＩＣタグライター１５２から放出される電波を受信して電磁誘導結合によりＩＣタグリーダー１４３Ａ、１４３ＢまたはＩＣタグライター１５２と無線通信を行い、電子データの読み出しおよび書き込みを行うことができる。近年、厚さ０．２５ｍｍ等の微小なＩＣタグが開発され印刷用紙に埋め込むことが可能となるとともに、ＩＣチップの高容量化が進みＩＣタグに記録可能な情報量も飛躍的に増大することが見込まれている。ただし、本発明で利用される電子タグは、電子データを送受信する通信インタフェースと電子データを記憶する記憶部を有していれば特に限定されるものではなく、上述の非接触型のＩＣタグ以外にも、接点式の通信インタフェースにより通信を行う接触型のＩＣタグ等であってもよい。
【００６８】
図４は、ＩＣタグ２１２に記録されている電子データの内容を説明するための図である。図４に示すように、ＩＣタグ２１２の記憶部には電子データ３００が記録されている。電子データ３００はＸＭＬ形式により記述されており、印刷物固有の原稿ＩＤ、ページ番号、複写可能か否かを示す複写可否等のＩＣタグ付き原稿２００の属性情報が記録されたヘッダ部３１０と、ＩＣタグ付き印刷用紙２１０上に印刷された画像２２０にかかる元画像データが記録された画像データ部３２０とを有している。ただし、ＩＣタグ２１２に電子データとして記録される情報および電子データの形式は、これらの例に限定されるものではない。
【００６９】
また、図３において、ＩＣタグ付き印刷用紙２１０は、必ずしも図示した形態に限られるものではなく、例えばＩＣタグ２１２が印刷用紙２１１の略全体を占めるように埋め込まれているものであってもよいし、複数個のＩＣタグ２１２が印刷用紙２１１の略全体に分散して埋め込まれているものであってもよい。
【００７０】
つぎに、本実施形態におけるＭＦＰ１００Ａの動作の概要を説明する。図５は、本実施形態におけるＭＦＰ１００Ａの画像形成処理の手順を示すフローチャートである。なお、図５のフローチャートにより示されるアルゴリズムは、ＭＦＰ１００Ａの記憶部１２０に制御プログラムとして記憶されており、動作開始の際に制御部１１０により読み出されて実行される。
【００７１】
図５において、ＭＦＰ１００Ａは、印刷ジョブを受信するまで待機する（Ｓ１０１のＮＯ）。ユーザは、パーソナルコンピュータ等の外部機器を利用して印刷ジョブを作成し、ＭＦＰ１００Ａに送信する。印刷ジョブは、例えばＭＦＰ１００Ａが解釈可能な記述言語により記述された印刷データと、印刷部数、印刷用紙の種類およびサイズ等の印刷条件を含むものである。
【００７２】
ＭＦＰ１００Ａは、外部機器から入力インタフェース１４３を介して印刷ジョブを受信すると（Ｓ１０１のＹＥＳ）、受信した印刷ジョブを記憶部１２０に保存する。ついで、受信した印刷ジョブを解析して（Ｓ１０２）、当該印刷ジョブがＩＣタグ付き印刷用紙への印刷にかかるものであるか否かを判断する（Ｓ１０３）。印刷ジョブがＩＣタグ付き印刷用紙への印刷にかかるものであるか否かは、例えば、印刷ジョブのヘッダ部等に含まれる印刷条件において、印刷モードがＩＣタグ付き印刷用紙への印刷を行うモードに設定されているか否か、ＩＣタグへの画像データの書き込みの設定がなされているか否か、印刷用紙としてＩＣタグ付き印刷用紙が指定されているか否か等により判断する。
【００７３】
ステップＳ１０３で、受信した印刷ジョブがＩＣタグ付き印刷用紙への印刷にかかるものであると判断された場合は（Ｓ１０３のＹＥＳ）、印刷ジョブに含まれる印刷データをラスタライズし、得られた画像データ（ビットマップデータ）を印刷部１５１により印刷条件に従ってＩＣタグ付き印刷用紙に印刷するとともに（Ｓ１０４）、ＩＣタグライター１５２により印刷後のＩＣタグ付き印刷用紙のＩＣタグに印刷した画像データおよび当該ＩＣタグ付き印刷物の属性情報を書き込んで（Ｓ１０５）、排紙トレイ１５４に排出する（Ｓ１０６）。ＩＣタグに書き込む画像データは、ラスタライズ後の画像データまたはこれを圧縮処理したものであってもよいし、印刷ジョブに含まれる印刷データそのもの、またはＨＴＭＬ、ＸＭＬ、ＰＤＦ、ＪＰＥＧ、ＧＩＦ、ＴＩＦＦ等の汎用のデータ形式に変換したものであってもよい。
【００７４】
ステップＳ１０３で、受信した印刷ジョブがＩＣタグ付き印刷用紙への印刷にかかるものでないと判断された場合は（Ｓ１０３のＮＯ）、印刷ジョブに含まれる印刷データをラスタライズし、得られた画像データを印刷部１５１により印刷条件に従って通常の印刷用紙に印刷して（Ｓ１０７）、排紙トレイ１５４に排出する（Ｓ１０６）。
【００７５】
つぎに、本発明の第２の実施形態にかかる画像形成装置としてのＭＦＰ１００Ｂの動作の概要を説明する。ここで、ＭＦＰ１００Ｂは前記第１の実施形態にかかるＭＦＰ１００Ａと同様の構成を有しているものとする（図１および図２参照）。但し、ＭＦＰ１００Ｂの画像入力部１４０は、少なくとも光学読み取り部１４２を有していればよく、必ずしも入力インタフェース１４４、ＡＤＦ１４１またはＩＣタグリーダー１４３を有していなくてもよい。また、画像出力部１５０は出力インタフェース１５３を必ずしも有していなくてもよい。
【００７６】
図６は、本実施形態におけるＭＦＰ１００Ｂの画像形成処理の手順を示すフローチャートである。なお、図６のフローチャートにより示されるアルゴリズムは、ＭＦＰ１００Ｂの記憶部１２０に制御プログラムとして記憶されており、動作開始の際に制御部１１０により読み出されて実行される。
【００７７】
図６において、ＭＦＰ１００Ｂは、開始命令があるまで待機する（Ｓ２０１のＮＯ）。ユーザは、原稿を原稿トレイ１４５にセットし、操作部１３０から、印刷部数、印刷用紙の種類またはサイズ等の印刷条件を設定してスタートキーを押す。
【００７８】
ＭＦＰ１００Ｂは、操作部１３０から開始命令の入力があると（Ｓ２０１のＹＥＳ）、原稿トレイ１４５にセットされた原稿をＡＤＦ１４１により原稿台１４６の所定の読み取り位置まで搬送し（Ｓ２０２）、光学読み取り部１４２により原稿画像を読み取って画像データ（ビットマップデータ）に変換し（Ｓ２０３）、エッジ強調、濃度変換等の各種画像処理を行った後得られた画像データを記憶部１２０に保存する。ついで、当該ジョブがＩＣタグ付き印刷用紙への印刷であるか否かを判断する（Ｓ２０４）。当該ジョブがＩＣタグ付き印刷用紙への印刷であるか否かは、例えば、印刷条件の設定時において、印刷モードがＩＣタグ付き印刷用紙への印刷を行うモードに設定されているか否か、ＩＣタグへの画像データの書き込みの設定がなされているか否か、印刷用紙としてＩＣタグ付き印刷用紙が指定されているか否か等により判断する。
【００７９】
ステップＳ２０４で、ＩＣタグ付き印刷用紙への印刷であると判断された場合は（Ｓ２０４のＹＥＳ）、ステップＳ２０３で得られた画像データを印刷部１５１により印刷条件に従ってＩＣタグ付き印刷用紙に印刷するとともに（Ｓ２０５）、ＩＣタグライター１５２により印刷後のＩＣタグ付き印刷用紙のＩＣタグに印刷した画像データおよび当該ＩＣタグ付き印刷物の属性情報を書き込んで（Ｓ２０６）、排紙トレイ１５４に排出する（Ｓ２０７）。ＩＣタグに書き込む画像データの形式は、ＭＦＰ１００Ａの場合と同様である。
【００８０】
ステップＳ２０４で、ＩＣタグ付き印刷用紙への印刷でないと判断された場合は（Ｓ２０４のＮＯ）、ステップＳ２０３で得られた画像データを印刷部１５１により印刷条件に従って通常の用紙に印刷して（Ｓ２０８）、排紙トレイ１５４に排出する（Ｓ２０７）。
【００８１】
つぎに、本発明の第３の実施形態にかかる画像形成装置としてのＭＦＰ１００Ｃの動作の概要を説明する。ここで、ＭＦＰ１００Ｃは前記第１の実施形態にかかるＭＦＰ１００Ａと同様の構成を有しているものとする（図１および図２参照）。但し、ＭＦＰ１００Ｃの画像入力部１４０は必ずしも入力インタフェース１４４を有していなくてもよく、画像出力部１５０は必ずしも出力インタフェース１５３を有していなくてもよい。
【００８２】
図７および図８は、本実施形態におけるＭＦＰ１００Ｃの画像形成処理の手順を示すフローチャートである。なお、図７および図８のフローチャートにより示されるアルゴリズムは、ＭＦＰ１００Ｃの記憶部１２０に制御プログラムとして記憶されており、動作開始の際に制御部１１０により読み出されて実行される。
【００８３】
図７において、ＭＦＰ１００Ｃは、開始命令があるまで待機する（Ｓ３０１のＮＯ）。ユーザは、原稿を原稿トレイ１４５にセットし、操作部１３０から、印刷部数、印刷用紙の種類またはサイズ等の印刷条件を設定してスタートキーを押す。
【００８４】
ＭＦＰ１００Ｃは、操作部１３０から開始命令の入力があると（Ｓ３０１のＹＥＳ）、ＩＣタグリーダー１４３Ａにより原稿トレイ１４５にセットされた原稿からＩＣタグを検索し、原稿がＩＣタグ付き原稿であるか否かを判断する（Ｓ３０２）。ステップＳ３０２でＩＣタグが検出されなかった場合は、原稿トレイ１４５にセットされた原稿が通常の原稿であるものと判断し（Ｓ３０２のＮＯ）、原稿トレイ１４５にセットされた原稿をＡＤＦ１４１により原稿台１４６の所定の読み取り位置まで搬送し（Ｓ３０３）、光学読み取り部１４２により原稿画像を読み取って画像データに変換し（Ｓ３０４）、印刷部１５１により印刷条件に従って通常の印刷用紙に印刷して（Ｓ３０５）、排紙トレイ１５４に排出する（Ｓ３０６）。
【００８５】
ステップＳ３０２でＩＣタグが検出された場合は、原稿トレイ１４５にセットされた原稿がＩＣタグ付き原稿であるものと判断して（Ｓ３０２のＹＥＳ）、ＩＣタグリーダー１４３Ａにより原稿トレイ１４５にセットされたＩＣタグ付き原稿のＩＣタグから当該原稿の属性情報を記憶部１２０に読み出す（Ｓ３０７）。さらに、ＩＣタグリーダー１４３ＡによりＩＣタグ付き原稿のＩＣタグに元画像データが記録されているか否かを判断し（Ｓ３０８）、ＩＣタグ内に元画像データが記録されていない場合は（Ｓ３０８のＮＯ）、通常の原稿の場合と同様にして原稿を搬送し原稿画像を光学読み取りして得られた画像データを印刷する（Ｓ３０３〜Ｓ３０６）。
【００８６】
ステップＳ３０８で、ＩＣタグ内に元画像データが記録されている場合は（Ｓ３０８のＹＥＳ）、図９の画面４１０のように、操作部１３０のタッチパネルに、原稿がＩＣタグ付き原稿でありＩＣタグ内に原稿の元画像データが記録されていて利用可能である旨を表示し（Ｓ３０９）、ＩＣタグ内の元画像データを印刷するか否かの指示入力を受け付ける（Ｓ３１０）。そして、元画像データを印刷しない指示の入力があった場合は（Ｓ３１０のＮＯ）、通常の原稿の場合と同様にして原稿を搬送し原稿画像を光学読み取りして得られた画像データを印刷する（Ｓ３０３〜Ｓ３０６）。
【００８７】
一方、ステップＳ３１０で、元画像データを印刷する指示の入力があった場合は（Ｓ３１０のＹＥＳ）、ステップＳ３０７で読み出した属性情報中に変更可能な属性情報が含まれているか否かを判断する（Ｓ３１１）。すなわち、ＩＣタグ付き原稿に記録されている属性情報には、変更可能なものが含まれている場合があり、その場合、属性情報中に変更可能な属性情報を示す情報が含まれている。ＭＦＰ１００Ｃは、読み出した属性情報からかかる情報を検索することにより、変更可能な属性情報の有無を判断することができる。例えば、図４の電子データ３００の例では、「変更可能属性」タブにおいて、属性情報のうち、画像データの色、解像度、フォントサイズ、フォント色およびフォント種類が変更可能であることが示されている。
【００８８】
変更可能な属性情報が含まれている場合は（Ｓ３１１のＹＥＳ）、図１０の画面４２０のように、操作部１３０のタッチパネルに変更可能な属性情報を表示し（Ｓ３１２）、これらの属性を変更するか否かの指示入力を受け付ける（Ｓ３１３）。属性情報を変更する指示の入力があった場合は（Ｓ３１３のＹＥＳ）、さらに、図１１の画面４３０のように、操作部１３０のタッチパネルに属性情報の変更入力画面を表示して属性情報の変更入力を受け付け、変更後の属性情報を記憶部１２０に記憶する（Ｓ３１４）。なお、ステップＳ３１３で属性情報を変更しない指示の入力があった場合は（Ｓ３１３のＮＯ）、ステップＳ３１４の手順が省略される。また、ステップＳ３１１で読み出した属性情報中に変更可能な属性情報が含まれていない場合は（Ｓ３１１のＮＯ）、ステップＳ３１２〜Ｓ３１４の手順が省略される。
【００８９】
ついで、原稿を搬送することなく、ＩＣタグリーダー１４３Ａにより原稿トレイ１４５にセットされたＩＣタグ付き原稿のＩＣタグから元画像データを記憶部１２０に読み出す（Ｓ３１５）。そして、図１２の画面４４０のように、操作部１３０のタッチパネルにＩＣタグ付き印刷用紙への印刷指示入力画面を表示して（Ｓ３１６）、ＩＣタグ付き印刷用紙に印刷するか否かの指示入力を受け付ける（Ｓ３１７）。ステップＳ３１７でＩＣタグ付き印刷用紙への印刷指示があった場合は（Ｓ３１７のＹＥＳ）、印刷部１５１により、記憶部１２０に記憶されている属性情報、すなわちステップＳ３１３で属性情報が変更されている場合は変更された属性情報、ステップＳ３１３で属性情報が変更されていない場合は原稿のＩＣタグから読み出した属性情報に基づいて元画像データをＩＣタグ付き印刷用紙に印刷し（Ｓ３１８）、さらにＩＣライター１５２により、ステップＳ３１８で印刷した画像データおよび属性情報をＩＣタグに書き込んで（Ｓ３１９）、印刷用紙を排紙トレイ１５４に排出する（Ｓ３０６）。
【００９０】
一方、ステップＳ３１７でＩＣタグ付き印刷用紙への印刷指示がなかった場合は（Ｓ３１７のＮＯ）、記憶部１２０に記憶されている属性情報、すなわちステップＳ３１３で属性情報が変更されている場合は変更された属性情報に基づいて画像データを通常の印刷用紙に印刷し（Ｓ３２０）、印刷用紙を排紙トレイ１５４に排出する（Ｓ３０６）。
【００９１】
本発明は、上述した実施形態のみに限定されるものではなく、特許請求の範囲内において、種々改変することができる。
【００９２】
例えば、上記各実施形態において、画像出力部１５０は、画像データを印刷部１５１によりＩＣタグ付き印刷用紙または通常の印刷用紙に印刷し、またはＩＣタグライター１５２によりＩＣタグ付き印刷用紙のＩＣタグに書き込むだけでなく、出力インタフェース１５３を介して外部機器に送信する構成としてもよい。
【００９３】
また、上記各実施形態では、本発明にかかる画像形成装置をＭＦＰを例にして説明したが、例えば、ＭＦＰ１００ＡはＩＣタグ付き印刷物の作成（ＩＣタグ付き印刷用紙への印刷）専用のプリンタ、ＭＦＰ１００ＢはＩＣタグ付き印刷物の作成（ＩＣタグ付き印刷用紙への複写）専用の複写機であってもよい。また、ＭＦＰ１００Ｃは、ＩＣタグ付き印刷物の複写（ＩＣタグ付き印刷物から通常の印刷用紙への複写）専用の複写機であってもよいし、ＩＣタグ付き印刷物の作成（ＩＣタグ付き印刷物からＩＣタグ付き印刷用紙への複写）専用の複写機であってもよい。
【００９４】
本発明による画像形成装置および画像形成方法は、上記各手順を実行するための専用のハードウエア回路によっても、また、上記各手順を記述したプログラムをＣＰＵが実行することによっても実現することができる。後者により本発明を実現する場合、画像形成装置を動作させる上記プログラムは、フロッピー（登録商標）ディスクやＣＤ−ＲＯＭ等のコンピュータ読み取り可能な記録媒体によって提供されてもよいし、インターネット等のネットワークを介してオンラインで提供されてもよい。この場合、コンピュータ読み取り可能な記録媒体に記録されたプログラムは、通常、ＲＯＭやハードディスク等に転送され記憶される。また、このプログラムは、たとえば、単独のアプリケーションソフトとして提供されてもよいし、画像形成装置の一機能としてその装置のソフトウエアに組み込んでもよい。
【産業上の利用可能性】
【００９５】
上述したように、本発明によれば、複写時に印刷物の属性情報および元画像データを利用可能な電子タグ付き印刷物およびこれを作成するための画像形成装置、ならびに電子タグ付き印刷物から印刷物の属性情報が反映された高画質な複写物を得ることの可能な画像形成装置が提供される。
【図面の簡単な説明】
【００９６】
【図１】本発明の第１の実施形態にかかるＭＦＰ１００Ａの構成を示すブロック図である。
【図２】ＭＦＰ１００Ａの構成を示す概略図である。
【図３】ＩＣタグ付き原稿２００の構成を示す概略図である。
【図４】ＩＣタグ付き原稿２００のＩＣタグ２１２に記録されている電子データの内容を説明するための図である。
【図５】ＭＦＰ１００Ａの画像形成処理の手順を示すフローチャートである。
【図６】本発明の第２の実施形態にかかるＭＦＰ１００Ｂの画像形成処理の手順を示すフローチャートである。
【図７】本発明の第３の実施形態にかかるＭＦＰ１００Ｃの画像形成処理の手順を示すフローチャートである。
【図８】ＭＦＰ１００Ｃの画像形成処理の手順を示すフローチャートである。
【図９】ＭＦＰ１００Ｃの操作部１３０のタッチパネルに表示する画面の一例である。
【図１０】ＭＦＰ１００Ｃの操作部１３０のタッチパネルに表示する画面の一例である。
【図１１】ＭＦＰ１００Ｃの操作部１３０のタッチパネルに表示する画面の一例である。
【図１２】ＭＦＰ１００Ｃの操作部１３０のタッチパネルに表示する画面の一例である。
【符号の説明】
【００９７】
１００Ａ，１００Ｂ，１００Ｃ  デジタル複写機、
１１０  制御部、
１２０  記憶部、
１３０  操作部、
１４０  画像入力部、
１４１  ＡＤＦ、
１４２  光学読み取り部、
１４３Ａ，１４３Ｂ  ＩＣタグリーダー、
１４４  入力インタフェース、
１４５  原稿トレイ
１５０  画像出力部、
１５１  印刷部、
１５２  ＩＣタグライター、
１５３  出力インタフェース、
１５４  排紙トレイ
１６０  バス。
【図１】
2005197835.tif 000003
【図２】
2005197835.tif 000004
【図３】
2005197835.tif 000005
【図４】
2005197835.tif 000006
【図５】
2005197835.tif 000007
【図６】
2005197835.tif 000008
【図７】
2005197835.tif 000009
【図８】
2005197835.tif 000010
【図９】
2005197835.tif 000011
【図１０】
2005197835.tif 000012
【図１１】
2005197835.tif 000013
【図１２】
2005197835.tif 000014